(57)【特許請求の範囲】
【請求項１】
撮像に基づいた画像ファイルに基づく画像信号を出力する処理を行う処理装置と、該処理装置から出力された画像信号に基づく画像を、画質調整手段により自らの画質を調整して表示する表示装置とを備える画像表示システムにおいて、
前記処理装置は、
撮像時の条件を示す撮像属性情報を含む画像ファイルに基づく画像信号を前記表示装置へ出力する手段と、
画像ファイルから撮像属性情報を読み取る手段と、
読み取った撮像属性情報、並びに撮像属性情報及び表示形式を対応付けて記録している対応テーブルに基づいて表示形式を決定する決定手段と、
決定した表示形式を示す形式情報を前記表示装置へ送信する手段と
を備え、
前記表示装置は、
受信した形式情報に基づき、画質調整手段により自らの画質を調整する手段を備える
ことを特徴とする画像表示システム。
【請求項２】
撮像に基づいた画像ファイルに基づく画像信号を出力する処理を行う処理装置と、該処理装置から出力された画像信号に基づく画像を、画質調整手段により自らの画質を調整して表示する表示装置とを備える画像表示システムにおいて、
前記処理装置は、
撮像時の条件を示す撮像属性情報を含む画像ファイルに基づく画像信号を前記表示装置へ出力する手段と、
画像ファイルから撮像属性情報を読み取る手段と、
読み取った撮像属性情報を前記表示装置へ送信する手段と
を備え、
前記表示装置は、
受信した撮像属性情報、並びに撮像属性情報及び表示形式を対応付けて記録している対応テーブルに基づいて表示形式を決定する決定手段と、
決定した表示形式に基づき、画質調整手段により自らの画質を調整する手段と
を備える
ことを特徴とする画像表示システム。
【請求項３】
前記撮像属性情報は、画像ファイルの撮像時の光源に関する情報、撮像する装置から被写体までの距離、並びに撮像する装置の撮像モード、絞り値及びシャッター速度の中の少なくとも一の情報を含むことを特徴とする請求項１又は請求項２に記載の画像表示システム。
【請求項４】
前記処理装置及び表示装置間を接続し、画像信号を伝送する信号線と、
前記処理装置及び表示装置間を接続し、画像信号とは異なる情報を伝送する通信線と
を備えることを特徴とする請求項１乃至請求項３のいずれかに記載の画像表示システム。
【請求項５】
画像信号を伝送する信号線及び画像信号と異なる情報を伝送する通信線を包含し、前記処理装置及び表示装置間を接続する複合線を備えることを特徴とする請求項１乃至請求項３のいずれかに記載の画像表示システム。
【請求項６】
前記処理装置及び表示装置間を接続し、画像信号を伝送する信号線を備え、
前記処理装置は、
画像信号と異なる情報を画像信号に重畳する手段を備え、
前記表示装置は、
画像信号に重畳されている情報を分離する手段を備える
ことを特徴とする請求項１乃至請求項３のいずれかに記載の画像表示システム。
【請求項７】
入力された画像信号に基づく画像を、画質調整手段により自らの画質を調整して表示する表示装置において、
撮像時の条件を示す撮像属性情報を含む画像ファイルに基づく画像信号を入力された場合で、撮像属性情報を受信したときに、受信した撮像属性情報、並びに撮像属性情報及び表示形式を対応付けて記録している対応テーブルに基づいて表示形式を決定する手段と、
決定した表示形式に基づき、画質調整手段により自らの画質を調整する手段と
を備えることを特徴とする表示装置。
【請求項８】
画像信号を伝送する信号線を接続する信号線接続部と、
画像信号とは異なる情報を伝送する通信線を接続する通信線接続部と
を備えることを特徴とする請求項７に記載の表示装置。
【請求項９】
画像信号を伝送する信号線及び画像信号とは異なる情報を伝送する通信線を包含した複合線を接続する複合線接続部を備えることを特徴とする請求項７に記載の表示装置。
【請求項１０】
画像信号及び該画像信号に重畳された画像信号と異なる情報を伝送する信号線を接続する信号線接続部と、
信号線が伝送する画像信号に、該画像信号と異なる情報が重畳されている場合に、画像信号から重畳されている情報を分離する手段と
を備えることを特徴とする請求項７に記載の表示装置。
【発明の詳細な説明】
【０００１】
【発明の属する技術分野】
本発明は、画像ファイルに基づく画像信号を出力する処理を行う処理装置と該処理装置から出力された画像信号に基づいて画像を表示する表示装置とを備える画像表示システム、及びそのシステムにて用いられる表示装置に関する。
【０００２】
【従来の技術】
デジタルスチルカメラ（以降デジタルカメラという）の普及に伴い、撮像した画像をＣＲＴディスプレイ等の表示装置に表示させる機会が増加している。
デジタルカメラを用いて撮像を行った場合、ＪＰＥＧ等の形式の画像ファイルが生成されるので、生成された画像ファイルをパーソナルコンピュータ等の処理装置に読み込ませ、画像ファイルに基づく画像信号を処理装置から表示装置へ信号線を介して出力することにより、表示装置では入力された画像信号に基づいて画像を表示する。
【０００３】
ところがデジタルカメラにより撮像した画像を表示装置に表示させる場合、デジタルカメラと表示装置とのγ値及び色温度等の表示に係る各特性が相違するため、撮像時の画質を再現するためには、撮像モード、絞り値及びシャッター速度等の様々な条件に基づいて、γ値及び撮像温度等の様々な項目を適当なアプリケーションソフトウェアを用いた手作業により調整する必要がある。
【０００４】
なお様々な条件に基づく調整は、プリンタ等の印刷装置により撮像した画像を印刷する場合にも必要であり、ＪＰＥＧ等の形式の画像ファイルに前述した様々な撮像条件を属性情報として含ませたＥｘｉｆ等の形式の画像ファイルが開発されている。
【０００５】
特開平１１−５５６８８号公報には、属性情報（撮影光源情報）に基づいて画像データを変換し、変換した画像データをプリンタへ出力し、プリンタにて印刷を行う方法が開示されている。
【０００６】
画像ファイルに含まれる属性情報を用いて処理装置により調整を行う方法は、表示装置から出力する場合にも適用することが可能であり、特開２００２−５７８５５号公報には、ＷＷＷサーバーから受信した属性情報（撮影情報）に基づき処理装置であるパーソナルコンピュータにて被写体画像情報の色変換を行った上で、処理装置に接続された表示装置であるディスプレイへ出力する方法が開示されている。
【０００７】
【発明が解決しようとする課題】
しかしながら特開平１１−５５６８８号公報及び特開２００２−５７８５５号公報に示すように、処理装置にて調整した画像ファイルを出力する方法では、プリンタ及び表示装置の画質に対する考慮が不十分であり、必ずしも撮像時の画質を忠実に再現する画像を表示させることができる訳ではないという問題がある。例えば表示装置のコントラストを下げた状態にて使用している場合で、撮像時の画質を再現するために高いコントラストを必要とするとき、画像ファイル自体のコントラストを高める画質調整を行っても表示装置自体のコントラスト調整値が低ければ、コントラストは低いままであり、撮像時の画質を忠実に再現することはできない。
また画像毎に表示装置自体を操作して、手作業にて画質調整することは多大な労力と時間とを要するため現実的な方法とは言えない。
【０００８】
本発明は斯かる事情に鑑みてなされたものであり、処理装置から画像ファイルに基づく画像信号を表示装置へ出力するとともに、画像ファイルから読み取った撮像属性情報又は撮像属性情報に基づく表示形式を示す形式情報を表示装置へ送信し、表示装置にて画質を調整することにより、撮像時の画質を再現する美しい画像を自動的に表示することが可能な画像表示システム、及びそのシステムにて用いられる表示装置の提供を目的とする。
【０００９】
【課題を解決するための手段】
第１発明に係る画像表示システムは、撮像に基づいた画像ファイルに基づく画像信号を出力する処理を行う処理装置と、該処理装置から出力された画像信号に基づく画像を、画質調整手段により自らの画質を調整して表示する表示装置とを備える画像表示システムにおいて、前記処理装置は、撮像時の条件を示す撮像属性情報を含む画像ファイルに基づく画像信号を前記表示装置へ出力する手段と、画像ファイルから撮像属性情報を読み取る手段と、読み取った撮像属性情報、並びに撮像属性情報及び表示形式を対応付けて記録している対応テーブルに基づいて表示形式を決定する決定手段と、決定した表示形式を示す形式情報を前記表示装置へ送信する手段とを備え、前記表示装置は、受信した形式情報に基づき、画質調整手段により自らの画質を調整する手段を備えることを特徴とする。
【００１２】
第１発明に係る画像表示システムでは、パーソナルコンピュータ等の処理装置からＣＲＴディスプレイ等の表示装置へ画像信号を出力するだけでなく、画像ファイルの撮像属性情報に基づく形式情報を表示装置へ送信し、表示装置にて形式情報に基づき表示装置自体の画質を調整することにより、事前の操作により設定されている画質調整値を強制的に変更するため、画像ファイルを生成した撮像時の画質を忠実に再現する美しい画像を自動的に表示することが可能であり、しかも表示装置の特性を考慮した画像表示を実現することが可能である。また対応テーブルを用いることにより、適切な表示形式を複雑な処理を行うことなく決定することが可能である。
【００１３】
第２発明に係る画像表示システムは、撮像に基づいた画像ファイルに基づく画像信号を出力する処理を行う処理装置と、該処理装置から出力された画像信号に基づく画像を、画質調整手段により自らの画質を調整して表示する表示装置とを備える画像表示システムにおいて、前記処理装置は、撮像時の条件を示す撮像属性情報を含む画像ファイルに基づく画像信号を前記表示装置へ出力する手段と、画像ファイルから撮像属性情報を読み取る手段と、読み取った撮像属性情報を前記表示装置へ送信する手段とを備え、前記表示装置は、受信した撮像属性情報、並びに撮像属性情報及び表示形式を対応付けて記録している対応テーブルに基づいて表示形式を決定する決定手段と、決定した表示形式に基づき、画質調整手段により自らの画質を調整する手段とを備えることを特徴とする。
【００１４】
第２発明に係る画像表示システムでは、パーソナルコンピュータ等の処理装置からＣＲＴディスプレイ等の表示装置へ画像信号を出力するだけでなく、画像ファイルの撮像属性情報を処理装置へ送信し、表示装置にて撮像属性情報により決定された表示形式に基づいて表示装置自体の画質を調整することにより、事前の操作により設定されている画質調整値を強制的に変更するため、画像ファイルを生成した撮像時の画質を忠実に再現する美しい画像を自動的に表示することが可能であり、しかも表示装置の特性を考慮した画像表示を実現することが可能である。また対応テーブルを用いることにより、適切な表示形式を複雑な処理を行うことなく決定することが可能である。
【００１７】
第３発明に係る画像表示システムは、第１発明又は第２発明において、前記撮像属性情報は、画像ファイルの撮像時の光源に関する情報、撮像する装置から被写体までの距離、並びに撮像する装置の撮像モード、絞り値及びシャッター速度の中の少なくとも一の情報を含むことを特徴とする。
【００１８】
第３発明に係る画像表示システムでは、例えばデジタルカメラ等の撮像装置を用いた撮像により画像ファイルを生成する場合に、光源に関する情報、被写体までの距離、撮像モード、絞り値及びシャッター速度等の撮像時の撮像条件に関する情報を撮像属性情報として含ませることにより、撮像時の画質を忠実に再現するγ値、コントラスト、ブライトネス、色温度及びシャープネス等の様々な項目の調整を行うことが可能である。
【００１９】
第４発明に係る画像表示システムは、第１発明乃至第３発明のいずれかにおいて、前記処理装置及び表示装置間を接続し、画像信号を伝送する信号線と、前記処理装置及び表示装置間を接続し、画像信号とは異なる情報を伝送する通信線とを備えることを特徴とする。
【００２０】
第４発明に係る画像表示システムでは、ＤＩＮ等の規格にて規定された信号線と、ＵＳＢ等の規格にて規定された通信線とで、処理装置及び表示装置を接続することにより、汎用的に行われている処理で容易に通信することが可能である。
【００２１】
第５発明に係る画像表示システムは、第１発明乃至第３発明のいずれかにおいて、画像信号を伝送する信号線及び画像信号と異なる情報を伝送する通信線を包含し、前記処理装置及び表示装置間を接続する複合線を備えることを特徴とする。
【００２２】
第５発明に係る画像表示システムでは、ＤＩＮ等の規格にて規定された画像信号を伝送する信号線及びＵＳＢ等の規格にて規定された命令情報を伝送する通信線を包含した複合線にて、処理装置及び表示装置を接続することにより、汎用的に行われている処理で容易に通信することが可能であり、しかも配線時の取り回しが容易である。
【００２３】
第６発明に係る画像表示システムは、第１発明乃至第３発明のいずれかにおいて、前記処理装置及び表示装置間を接続し、画像信号を伝送する信号線を備え、前記処理装置は、画像信号と異なる情報を画像信号に重畳する手段を備え、前記表示装置は、画像信号に重畳されている情報を分離する手段を備えることを特徴とする。
【００２４】
第６発明に係る画像表示システムでは、ＤＩＮ等の規格にて規定された信号線にて処理装置及び表示装置を接続し、信号線を介して画像信号並びに画像信号に重畳した命令情報を伝送することにより、汎用的に行われている処理で容易に通信することが可能であり、表示装置が一般的に備えている信号線以外に新たな配線を行う必要がない。
【００３５】
第７発明に係る表示装置は、入力された画像信号に基づく画像を、画質調整手段により自らの画質を調整して表示する表示装置において、撮像時の条件を示す撮像属性情報を含む画像ファイルに基づく画像信号を入力された場合で、撮像属性情報を受信したときに、受信した撮像属性情報、並びに撮像属性情報及び表示形式を対応付けて記録している対応テーブルに基づいて表示形式を決定する手段と、決定した表示形式に基づき、画質調整手段により自らの画質を調整する手段とを備えることを特徴とする。
【００３６】
第７発明に係る表示装置では、処理装置から受信した撮像属性情報により決定された形式情報に基づき表示装置自体の画質を調整することにより、表示装置に対する事前の操作により設定されている画質調整値を強制的に変更するため、画像ファイルを生成した撮像時の画質を忠実に再現する美しい画像を自動的に表示させることが可能であり、しかも表示装置の特性を考慮した画像表示を実現することが可能である。また対応テーブルを用いることにより、適切な表示形式を複雑な処理を行うことなく決定することが可能である。
【００３７】
第８発明に係る表示装置は、第７発明において、画像信号を伝送する信号線を接続する信号線接続部と、画像信号とは異なる情報を伝送する通信線を接続する通信線接続部とを備えることを特徴とする。
【００３８】
第８発明に係る表示装置では、ＤＩＮ等の規格にて規定されたコネクタ等の信号線接続部に接続する信号線と、ＵＳＢ等の規格にて規定されたコネクタ等の通信線接続部に接続する通信線とにより、処理装置と接続することにより、汎用的に行われている処理で容易に通信することが可能である。
【００３９】
第９発明に係る表示装置は、第７発明において、画像信号を伝送する信号線及び画像信号とは異なる情報を伝送する通信線を包含した複合線を接続する複合線接続部を備えることを特徴とする。
【００４０】
第９発明に係る表示装置では、ＤＩＮ等の規格にて規定された画像信号を伝送する信号線及びＵＳＢ等の規格にて規定された情報を伝送する通信線を包含した複合線にて表示装置と接続することにより、汎用的に行われている処理で容易に通信することが可能であり、しかも配線時の取り回しが容易である。
【００４１】
第１０発明に係る表示装置は、第７発明において、画像信号及び該画像信号に重畳された画像信号と異なる情報を伝送する信号線を接続する信号線接続部と、信号線が伝送する画像信号に、該画像信号と異なる情報が重畳されている場合に、画像信号から重畳されている情報を分離する手段とを備えることを特徴とする。
【００４２】
第１０発明に係る表示装置では、ＤＩＮ等の規格にて規定されたコネクタ等の信号線接続部に接続する信号線にて、画像信号並びに画像信号に重畳した形式情報及び属性情報等の情報を表示装置へ伝送することにより、汎用的に行われている処理で容易に通信することが可能であり、しかも新たな配線を行う必要がない。
【００４７】
【発明の実施の形態】
以下、本発明をその実施の形態を示す図面に基づいて詳述する。
実施の形態１．
図１は本発明の画像表示システムの構成を示すブロック図である。
図１中１０はパーソナルコンピュータ等のコンピュータを用いた本発明の処理装置であり、処理装置１０は、装置全体を制御するＣＰＵ１１、本発明の処理装置用のコンピュータプログラムＰＧ及びデータ     等の情報を記録したＣＤ−ＲＯＭ等の記録媒体ＲＥＣから情報を読み取るＣＤ−ＲＯＭドライブ等の補助記憶手段１２、補助記憶手段１２により読み取られたコンピュータプログラムＰＧ及びデータ等の情報を記録するハードディスク等の記録手段１３、情報を一時的に記憶するＲＡＭ１４並びにマウス及びキーボード等の入力手段１５を備えている。
なお記録手段１３には、画像ファイルに含まれる属性情報及び表示形式を対応付けて記録する対応テーブル１０ａが記録されている。
【００４８】
そして記録手段１３から本発明の処理装置用のコンピュータプログラムＰＧ及びデータ等の各種情報を読み取り、ＲＡＭ１４に記憶させてＣＰＵ１１により実行することで、パーソナルコンピュータは本発明の処理装置１０として動作する。
【００４９】
また処理装置１０は、画像ファイルに基づく画像データを生成するグラフィックスコントローラ１６１、グラフィックスコントローラ１６１により生成された画像データを記憶する画像メモリ１６２及び画像メモリ１６２に記憶された画像データを画像信号として出力するＤＩＮ等の規格にて規定されたコネクタ等の信号線接続部１６３を有するビデオカード１６を備えている。
【００５０】
さらに処理装置１０は、ＵＳＢ等の規格にて規定された通信を制御するＵＳＢコントローラ等の通信制御部１７１及び通信制御部１７１にて制御される通信に用いられるコネクタ等の通信線接続部１７２を有する通信用ボード１７を備えている。
【００５１】
処理装置１０が備える信号線接続部１６３には画像信号を伝送する信号線Ｌ１の一端が、通信線接続部１７２には各種情報を伝送する通信線Ｌ２の一端が夫々接続されており、信号線Ｌ１及び通信線Ｌ２の他端はＣＲＴディスプレイ、液晶ディスプレイ及びプラズマディスプレイ等の表示装置２０に接続されている。
【００５２】
表示装置２０は、信号線Ｌ１の他端を接続するコネクタ等の信号線接続部２１を備え、信号線接続部２１から入力された画像信号はビデオ回路２２へ送られ、ビデオ回路２２は画像信号に基づく画像をＣＲＴ等の表示部２３に表示させる。
【００５３】
また表示装置２０は、通信線Ｌ２の他端を接続するコネクタ等の通信線接続部２４１及びＵＳＢコントローラ等の通信制御部２４２を有する通信回路２４を備え、通信線接続部２４１から受信した様々な情報はマイクロコンピュータ等の制御回路２５へ送られ、制御回路２５では受信した情報に基づいて各種処理及びビデオ回路２２の制御を行う。
【００５４】
次に本発明の画像表示システムにて取り扱われる画像ファイル及び処理装置１０が備える対応テーブル１０ａについて説明する。
本発明の画像表示システムにて取り扱われる画像ファイルは、例えばデジタルスチルカメラ等の撮像装置を用いた撮像により生成された画像ファイルであり、ＪＰＥＧ及びＴＩＦＦ等の形式にて生成された画像に、様々な属性情報を含ませたＥｘｉｆ等の形式に基づいている。
Ｅｘｉｆ等の形式の画像ファイルに含まれる属性情報としては、光源等の撮像時の状態、接近及び遠方等の被写体距離、自然及び人物等の撮像モード並びに絞り値及びシャッター速度等の生成条件に関する情報の他、撮像装置の製造会社名、画像の幅及び高さ並びにγカーブ特性等の様々な情報が用いられる。
【００５５】
図２は本発明の画像表示システムにて用いられる処理装置１０が対応テーブル１０ａの記録内容を概念的に示す説明図である。
対応テーブル１０ａには、撮像モード等の生成条件を示す属性情報及び表示装置２０にて調整可能な各画質要素の調整値が組み合わされた表示形式についての情報が対応付けて記録されている。
生成条件である撮像モードとしては標準、自然及び人物等のモードがあり、これらは自然及び人物等の撮像対象を撮像する場合における絞り値及びシャッター速度等の生成条件の典型的な値が割り当てられている。
表示形式とは、各生成条件に対して適切な画質で画像を表示させるための形式を示す画質モードであり、コントラスト及び色温度等の表示装置２０にて調整可能な様々な項目についての値が記録されている。
【００５６】
次に本発明の画像表示システムにおける処理を説明する。
図３は本発明の画像表示システムにて用いられる処理装置１０及び表示装置２０の処理を示すフローチャートである。
処理装置１０では、例えば記録手段１３に記録されている画像ファイルを表示させる命令の入力を受け付けた場合に、記録手段１３から画像ファイルを読み取ってＲＡＭ１４に記憶し、記憶した画像ファイルに基づいてグラフィックスコントローラ１６１の処理により画像データを生成して、生成した画像データを画像メモリ１６２に記憶する。
そして画像メモリ１６２に記憶した画像データを画像信号として、即ち画像ファイルに基づく画像信号を表示装置２０へ信号線Ｌ１を介して出力する（Ｓ１０１）。
【００５７】
またＲＡＭ１４に記憶した画像ファイルから、画像ファイルの生成条件に関する情報を含む属性情報を読み取り（Ｓ１０２）、読み取った属性情報から、対応テーブル１０ａに基づいて表示形式を決定し（Ｓ１０３）、決定した表示形式を示す形式情報を表示装置２０へ通信線Ｌ２を介して送信する（Ｓ１０４）。
なおステップＳ１０３では、対応テーブル１０ａに基づいて表示形式を決定する方法を示しているが、絞り値及びシャッター速度等の生成条件から計算により表示形式を決定してもよい。
【００５８】
表示装置２０では、信号線Ｌ１を介して画像信号の入力を受け付け（Ｓ１０５）、入力された画像信号をビデオ回路２２へ送る。
また通信線Ｌ２を介して形式情報を受信し（Ｓ１０６）、受信した形式情報を制御回路２５へ送り、制御回路２５では、形式情報に基づいて画質を調整する制御をビデオ回路２２に対して行う。
【００５９】
そして制御回路２５の制御により形式情報に基づいて画質を調整し（Ｓ１０７）、調整された画質でビデオ回路２２が受け付けた画像信号に基づいて表示すべき画像を表示部２３に表示する（Ｓ１０８）。
【００６０】
なおステップＳ１０１にて示す画像信号を出力する処理と、ステップＳ１０３乃至Ｓ１０４にて示す形式情報を送信する処理とは、説明の便宜上、画像信号の出力が先に行われるかのように示しているが、表示装置２０における画像を表示する処理及び調整する処理に時間差が生じない程度に同時的に行われればよく、形式情報の送信が先であってもよい。
また形式情報に基づく画質調整としては、γ値、コントラスト、ブライトネス、色温度及びシャープネス等の様々な項目の調整が行われる。
【００６１】
実施の形態２．
実施の形態２は、実施の形態１において、表示形式を決定する処理を、処理装置１０ではなく表示装置２０にて行う形態である。
【００６２】
図４は本発明の画像表示システムの構成を示すブロック図である。
実施の形態２における画像表示システムは、表示形式を表示装置２０にて決定するため、処理装置１０は対応テーブル１０ａを有しておらず、表示装置２０が備える制御回路２５の記録領域の一部に対応テーブル２０ａが記録されている。
なおその他の構成要素については実施の形態１と同様であるので、同一番号を付し、その説明を省略する。
また対応テーブル２０ａの記録内容についても、実施の形態１に示す対応テーブル１０ａの記録内容と実質的に同等であるので、実施の形態１を参照するものとし、その説明を省略する。
【００６３】
次に本発明の画像表示システムにおける処理を説明する。
図５は本発明の画像表示システムにて用いられる処理装置１０及び表示装置２０の処理を示すフローチャートである。
処理装置１０では、画像ファイルに基づく画像信号を表示装置２０へ信号線Ｌ１を介して出力する（Ｓ２０１）。
また画像ファイルから属性情報を読み取り（Ｓ２０２）、読み取った属性情報を表示装置２０へ通信線Ｌ２を介して送信する（Ｓ２０３）。
【００６４】
表示装置２０では、信号線Ｌ１を介して画像信号の入力を受け付け（Ｓ２０４）、入力された画像信号をビデオ回路２２へ送る。
また通信線Ｌ２を介して属性情報を受信し（Ｓ２０５）、受信した属性情報を制御回路２５へ送り、制御回路２５では、対応テーブル２０ａに基づいて表示形式を決定し（Ｓ２０６）、決定した表示形式に基づいて画質を調整する制御をビデオ回路２２に対して行う。
【００６５】
そして制御回路２５の制御により表示形式に基づいて画質を調整し（Ｓ２０７）、調整された画質でビデオ回路２２が受け付けた画像信号に基づいて表示すべき画像を表示部２３に表示する（Ｓ２０８）。
【００６６】
実施の形態３．
実施の形態３は、実施の形態１又は実施の形態２において、信号線Ｌ１及び通信線Ｌ２を包含する複合線を用いる形態である。
【００６７】
図６は本発明の画像表示システムの構成を示すブロック図である。
図６に示す処理装置１０は、実施の形態１におけるビデオカード１６及び通信用ボード１７の両方の機能を有する複合ボード１８を備えており、複合ボード１８は、信号線接続部１６３及び通信線接続部１７２に相当するコネクタとして複合線接続部１８１を備えている。
【００６８】
処理装置１０が備える複合線接続部１８１には、信号線Ｌ１及び通信線Ｌ２を包含する複合線Ｌ３の一端が接続されており、複合線Ｌ３の他端は、表示装置２０に接続されている。
【００６９】
表示装置２０は、実施の形態１における通信回路２４の機能を備える複合回路２６を備えており、複合回路２６は、信号線接続部２１及び通信線接続部２４１に相当するコネクタとして複合線接続部２６１を備えている。
【００７０】
なお実施の形態３は、信号線Ｌ１及び通信線Ｌ２の代わりに複合線Ｌ３を用いてあればよいため、処理装置１０が備える複合線接続部１８１は、特に専用のコネクタである必要はなく、信号線接続部１６３及び通信線接続部１７２に相当するコネクタが、一本の複合線Ｌ３にて接続することが可能な程度に接近していれば複合線接続部１８１として用いることが可能であり、また複合線接続部１８１として用いることが可能な信号線接続部１６３及び通信線接続部１７２を備えていれば、ビデオカード１６及び通信用ボード１７をそのまま用いることも可能である。
表示装置２０における複合線接続部２６１についても同様の理由により、特に専用のコネクタである必要はない。
【００７１】
なおその他の構成については実施の形態１と同様であるので、同一番号を付し、その説明を省略する。
また処理についても実施の形態１と同様であるので、実施の形態１を参照するものとし、その説明を省略する。
上述した実施の形態３においては、実施の形態１に対して複合線Ｌ３を用いる形態を示したが、実施の形態２に対して複合線Ｌ３を用いてもよいことは言うまでもない。
【００７２】
実施の形態４．
実施の形態４は、実施の形態１又は実施の形態２において、画像信号以外の情報を画像信号に重畳し、信号線Ｌ１により伝送する形態である。
【００７３】
図７は本発明の画像表示システムの構成を示すブロック図である。
図７に示す処理装置１０は、実施の形態１における通信用ボード１７に代替して、ビデオカード１６の機能を有する重畳ボード１９を備えている。
重畳ボード１９は、グラフィックスコントローラ１６１及び画像メモリ１６２を備えており、更に通信を制御する通信制御部１９１を備え、通信制御部１９１の制御により送信される各種情報を画像信号に重畳する回路として重畳部１９２を備えている。
そして重畳部１９２にて各種情報を重畳された画像信号は、信号線接続部１６３へ送られ、信号線Ｌ１を介して表示装置２０へ出力される。
【００７４】
表示装置２０は、信号線Ｌ１を接続する信号線接続部２１を有する分離回路２７を備えており、分離回路２７は、信号線接続部２１から入力された画像信号に、画像信号と異なる各種情報が重畳されている場合に、重畳されている各種情報を画像信号から分離する回路として分離部２７２を備えており、分離部２７２にて分離された各種情報は、通信制御部２７１による制御により制御回路２５へ送られる。
また分離部２７２にて各種情報を分離された画像信号は、ビデオ回路２２へ送られる。
なお画像信号に各種情報が重畳されていない場合、画像信号はそのままビデオ回路２２へ送られる。
【００７５】
なおその他の構成については、実施の形態１と同様であるので、同一番号を付し、その説明を省略する。
また処理についても実施の形態１とほぼ同様であるので、実施の形態１を参照するものとし、その説明を省略するが、形式情報の伝送は、通信線Ｌ２ではなく画像信号に重畳された上で、信号線Ｌ１を介して伝送される。
上述した実施の形態４においては、実施の形態１に対して、画像信号に情報の重畳及び分離を行う形態を示したが、実施の形態２に対して、画像信号に情報の重畳及び分離を行う形態でもよいことは言うまでもない。
【００７６】
前記実施の形態１乃至４では、画像ファイルに含まれる属性情報から表示形式を決定し、画質を調整する形態を示したが、本発明はこれに限らず、表示形式を示す形式情報を属性情報として画像ファイルに含ませ、画像ファイルから読み取った属性情報に基づいて画質を調整するようにしてもよく、これにより処理装置又は表示装置における表示形式の決定処理が不要となる。
【００７７】
【発明の効果】
以上詳述した如く本発明に係る画像表示システム及び表示装置では、パーソナルコンピュータ等の処理装置及びＣＲＴディスプレイ等の表示装置間を、画像信号を伝送する信号線及びＵＳＢ等の規格にて規定された通信線にて接続し、処理装置から画像ファイルに基づく画像信号を表示装置へ信号線を介して出力するとともに、画像ファイルから読み取った撮像属性情報又は撮像属性情報に基づく表示形式を示す形式情報を表示装置へ通信線を介して送信し、表示装置にて形式情報に基づき表示装置自体の画質を調整することにより、事前の操作により設定されている画質調整値を強制的に変更するため、画像ファイルを生成した撮像時の画質を忠実に再現する美しい画像を自動的に表示することが可能であり、しかも表示装置の特性を考慮した画像表示を実現することが可能である等、優れた効果を奏する。
【図面の簡単な説明】
【図１】本発明の画像表示システムの構成を示すブロック図である。
【図２】  本発明の画像表示システムにて用いられる処理装置が対応テーブルの記録内容を概念的に示す説明図である。
【図３】本発明の画像表示システムにて用いられる処理装置及び表示装置の処理を示すフローチャートである。
【図４】本発明の画像表示システムの構成を示すブロック図である。
【図５】本発明の画像表示システムにて用いられる処理装置及び表示装置の処理を示すフローチャートである。
【図６】本発明の画像表示システムの構成を示すブロック図である。
【図７】本発明の画像表示システムの構成を示すブロック図である。
【符号の説明】
１０  処理装置
２０  表示装置
Ｌ１  信号線
Ｌ２  通信線
Ｌ３  複合線
ＰＧ  コンピュータプログラム
ＲＥＣ  記録媒体
【図１】
0004206225.tif 000002
【図２】
0004206225.tif 000003
【図３】
0004206225.tif 000004
【図４】
0004206225.tif 000005
【図５】
0004206225.tif 000006
【図６】
0004206225.tif 000007
【図７】
0004206225.tif 000008